(57)【要約】【課題】患者の呼吸動作を好適に助け、患者が感じる苦しさを低減できる人工呼吸装置及び人工呼吸装置システムを提供すること。【解決手段】本発明にかかる人工呼吸装置及び人工呼吸装置システムによれば、自発呼吸が困難或いは十分にできない患者１２の胸部１４へ当接して所要の時間をかけて胸部１４を押圧する押圧部２６を備える押圧手段２０と、押圧手段２０による押圧力を可及的速やかに解除する押圧力解除手段３０と、押圧力解除手段３０の動作を制御する制御部４０とを具備する。【選択図】  図１
2005329234.tif 000002
【特許請求の範囲】
【請求項１】
自発呼吸が困難或いは十分にできない患者の胸部へ当接して所要の時間をかけて該胸部を押圧する押圧部を備える押圧手段と、該押圧手段による押圧力を可及的速やかに解除する押圧力解除手段と、該押圧力解除手段の動作を制御する制御部とを具備することを特徴とする人工呼吸装置。
【請求項２】
患者の胸部を正面及び背面の両側から押圧して圧迫すべく、前記押圧手段及び前記押圧力解除手段を、患者の胸部の正面及び背面の両側に設けたことを特徴とする請求項１記載の人工呼吸装置。
【請求項３】
前記押圧手段が陽圧空気を供給する陽圧源を備える空圧式押圧装置であり、前記押圧力解除手段が前記空圧式押圧装置に供給された陽圧空気を強制的に吸引する陰圧源を備えることを特徴とする請求項１又は２記載の人工呼吸装置。
【請求項４】
前記押圧手段及び前記押圧力解除手段が、前記押圧部と該押圧部を駆動するカム機構であることを特徴とする請求項１又は２記載の人工呼吸装置。
【請求項５】
前記押圧力解除手段が、前記押圧手段による押圧力が解除される際に復元して前記胸部への押圧力を可及的速やかに解除するコイルスプリングなどの弾性部材を備えることを特徴とする請求項１、２、３又は４記載の人工呼吸装置。
【請求項６】
前記押圧部の前記胸部に接触する部分が、該胸部にフィットできるように弾性のある柔軟部材によって形成されていることを特徴とする請求項１、２、３、４又は５記載の人工呼吸装置。
【請求項７】
前記空圧式押圧装置がエアシリンダを構成要素とする空圧システムであることを特徴とする請求項３、５、６いずれか記載の人工呼吸装置。
【請求項８】
前記胸部を該胸部の下部から上部へ向かって絞り上げるように段階的に圧迫すべく、前記押圧手段と前記押圧力解除手段とからなる押圧ユニットが複数段に設けられていることを特徴とする請求項１、２、３、４、５、６又は７記載の人工呼吸装置。
【請求項９】
呼気又は吸気のタイミングを検出する検出手段による情報を受けて前記押圧力解除手段を作動させるべく、該検出手段と前記制御部とが接続されていることを特徴とする請求項１、２、３、４、５、６、７又は８記載の人工呼吸装置。
【請求項１０】
請求項９記載の人工呼吸装置と、挿管式の人工呼吸器とが併設され、共に、呼気又は吸気のタイミングを検出する検出手段による情報を受けて制御されることを特徴とする人工呼吸装置システム。
【発明の詳細な説明】
【技術分野】
【０００１】
本発明は、人工呼吸装置及び人工呼吸装置システムに関する。
【背景技術】
【０００２】
自発呼吸が困難或いは十分にできない患者には、一般に、挿管式の人工呼吸器が使用される。管を、口から気管へ挿入する場合や、のどの部分を切開して気管へ挿入する場合がある。この人工呼吸器による呼吸方法には、人工呼吸器によって全ての呼吸をさせる「調節呼吸」と、患者の自発呼吸に合わせて呼吸を補助する「補助呼吸」とがある（特許文献１参照）。
なお、自発呼吸が正常にできない人は、筋萎縮硬化症の患者のように筋肉に問題のある場合と、神経系に問題のある場合とがある。患者は、常時車椅子に乗るか、寝たきりの状態となる。そのため、ベッド上で寝返りをできない人も多い。
【特許文献１】特開２０００−１５２９９４号公報
【０００３】
挿管式の人工呼吸器では、「補助呼吸」の場合、吸気開始時の負圧（陰圧）を検出部（センサー）で検知してトリガーを発生する。そのトリガーの信号を受けた制御部の制御によって陽圧の呼吸用ガスを患者に供給する。患者の自発吸気開始時を検知する方法は、気道内圧の変化をトリガーする他に、自発吸気開始時の流速をトリガーする方法もある。
なお、挿管式で且つ陽圧式の人工呼吸器では、常に、陽圧の呼吸用ガスを患者の肺へ供給している。この場合は、振動空気によって呼吸用ガスを肺の中へ分散させることで換気している。
【０００４】
以上に説明した挿管式の人工呼吸器は、呼吸用ガスを患者の肺の中へ強制的に押し込む方式となっている。つまり、患者の吸気は人工呼吸器によって好適に補助される。
これに対して、呼気は患者自身の自発的な力でなされることになる。呼吸用ガスの供給が停止され、人工呼吸器の管路に設けられた開閉弁が開くことで呼気状態となるが、強制的に排気するわけではない。
なお、強制的に吸引して排気する方法も考えられるが、採用することは難しい。過度な陰圧によって患者の肺を傷つける（肺胞を潰す）可能性や、肺の中の空気が過度に排気されて呼吸困難となる可能性があるからである。
【発明の開示】
【発明が解決しようとする課題】
【０００５】
以上に説明した挿管式の人工呼吸器では、患者は呼気の際に抵抗を感じる。挿管の管路抵抗（通気抵抗）なども加わって、患者は空気を好適に吐けない。また、陽圧式の場合は患者の肺へ常に陽圧がかかるから、患者は基本的に空気を吐けない。
このため、患者は酸素の供給が十分でも苦しさを感じるという課題があった。
そこで、本発明の目的は、上記のような患者の苦しさを低減できる人工呼吸装置を提供することにある。
【課題を解決するための手段】
【０００６】
本発明は、上記目的を達成するために次の構成を備える。
本発明にかかる人工呼吸装置の一形態によれば、自発呼吸が困難或いは十分にできない患者の胸部へ当接して所要の時間をかけて該胸部を押圧する押圧部を備える押圧手段と、該押圧手段による押圧力を可及的速やかに解除する押圧力解除手段と、該押圧力解除手段の動作を制御する制御部とを具備することを特徴とする。
また、本発明にかかる人工呼吸装置の一形態によれば、患者の胸部を正面及び背面の両側から押圧して圧迫すべく、前記押圧手段及び前記押圧力解除手段を、患者の胸部の正面及び背面の両側に設けたことを特徴とすることができる。
【０００７】
また、本発明にかかる人工呼吸装置の一形態によれば、前記押圧手段が陽圧空気を供給する陽圧源を備える空圧式押圧装置であり、前記押圧力解除手段が前記空圧式押圧装置に供給された陽圧空気を強制的に吸引する陰圧源を備えることを特徴とすることができる。
また、本発明にかかる人工呼吸装置の一形態によれば、前記押圧手段及び前記押圧力解除手段が、前記押圧部と該押圧部を駆動するカム機構であることを特徴とすることができる。
【０００８】
また、本発明にかかる人工呼吸装置の一形態によれば、前記押圧力解除手段が、前記押圧手段による押圧力が解除される際に復元して前記胸部への押圧力を可及的速やかに解除するコイルスプリングなどの弾性部材を備えることを特徴とすることができる。
また、本発明にかかる人工呼吸装置の一形態によれば、前記押圧部の前記胸部に接触する部分が、該胸部にフィットできるように弾性のある柔軟部材によって形成されていることを特徴とすることができる。
また、本発明にかかる人工呼吸装置の一形態によれば、前記空圧式押圧装置がエアシリンダを構成要素とする空圧システムであることを特徴とすることができる。
【０００９】
また、本発明にかかる人工呼吸装置の一形態によれば、前記胸部を該胸部の下部から上部へ向かって絞り上げるように段階的に圧迫すべく、前記押圧手段と前記押圧力解除手段とからなる押圧ユニットが複数段に設けられていることを特徴とすることができる。
【００１０】
また、本発明にかかる人工呼吸装置の一形態によれば、呼気又は吸気のタイミングを検出する検出手段による情報を受けて前記押圧力解除手段を作動させるべく、該検出手段と前記制御部とが接続されていることを特徴とすることができる。
また、本発明にかかる人工呼吸装置システムの一形態によれば、上記人工呼吸装置と、挿管式の人工呼吸器とが併設され、共に、呼気又は吸気のタイミングを検出する検出手段による情報を受けて制御されることを特徴とすることができる。
【発明の効果】
【００１１】
本発明の人工呼吸装置によれば、所要の時間をかけて患者の胸部を押圧（圧迫）できるため肺が縮小して肺の中の空気が好適に排出される。そして、その圧迫が急激に解除されることで肺が拡大して空気が好適に吸入される。このときの肺の拡大は、人間自体の生体構造的な復元力による。
このため、呼気が好適になされることになり、患者の苦しさを緩和できる。また、無理なく一定の吸気が確保できるという有利な効果を奏する。
【発明を実施するための最良の形態】
【００１２】
以下、本発明の人工呼吸装置に係る最良の形態を添付図面と共に詳細に説明する。
図１は本発明の人工呼吸装置を模式的に示すブロック図である。図２は患者に当接する部分の詳細を中心に本発明の人工呼吸装置１０を模式的に示す断面図である。
図１に示すように、２０は押圧手段であり、自発呼吸が困難或いは十分にできない患者１２の胸部１４へ当接して所要の時間をかけて胸部１４を押圧すべく構成されている。なお、患者は仰向けにベッドに寝た状態である。
なお、所要の時間とは、標準的には１．５秒から２秒程度の長さの時間であるが、連続的な時間のことである。その時間をかけて胸部１４を徐々に加圧して圧迫する。
【００１３】
２１は高圧空気源であり、コンプレッサ又は送風機から構成され、陽圧を発生させる。２２は高圧側レギュレータであり、高圧空気源２１からの圧力を調整する調圧弁となっている。２３は高圧側チャンバであり、高圧空気室となっている。２４は高圧側開閉弁であり、高圧側管路２５を開閉する。電磁弁（ソレノイドバルブ）などで構成される。また、２６は押圧部であり、例えば、空気圧作動部とすることができる。具体的には、エアシリンダ（図２参照）又はエアバックを採用できる。
本実施の形態では、以上の構成要素を含むことによって押圧手段２０が構成されている。なお、所定以上の押圧力が作用しないように、安全弁（リリーフ弁）を設けてもよい。さらに高圧側管路２５中にフィルタを設けても良い。また、押圧手段２０は、上記全ての構成を必要とするものではない。
【００１４】
３０は押圧力解除手段であり、押圧手段２０による押圧力を可及的速やかに解除すべく構成されている。
３１は減圧空気源であり、真空装置（バキュームポンプ）又は吸引送風機から構成され、陰圧を発生させる。３２は減圧側レギュレータであり、減圧空気源３１からの圧力を調整する調圧弁となっている。３３は減圧側チャンバであり、減圧空気室となっている。３４は減圧側開閉弁であり、減圧側管路３５を開閉する。電磁弁（ソレノイドバルブ）などで構成される。また、減圧側管路３５は押圧部２６（以下、「空気圧作動部２６」と記す場合がある。）に連通している。
本実施の形態では、以上の構成要素を含むことによって押圧力解除手段３０が構成されている。なお、押圧力解除手段３０は、上記全ての構成を必要とするものではない。
また、以上の押圧手段２０及び前記押圧力解除手段３０を、患者１２の胸部１４を正面及び背面の両側から押圧して圧迫すべく、患者１２の胸部１４の正面及び背面の両側に設けてもよい。これによれば、効果的に患者１２の胸部１４を圧迫できる。
【００１５】
４０は制御部であり、押圧力解除手段３０及び押圧手段２０の動作を制御する。本実施の形態では、開閉弁２４、３４の開閉動作の制御をする。
４２は挿管式の人工呼吸器である。４４は検出部であり、例えば、吸気開始時の陰圧を検知してトリガーを発生する。そのトリガーの信号を受けた制御部４０の制御によって陽圧の呼吸用ガスを患者に供給する。４６は挿入管である。
また、制御部４０は、上記トリガーの信号を受けて、押圧力解除手段３０及び押圧手段２０の動作を制御することができる。患者の吸気開始時には、減圧側開閉弁３４を開き、高圧側開閉弁２４を閉じるように制御する。そして、患者の呼気時には、減圧側開閉弁３４を閉じ、高圧側開閉弁２４を開くように制御する。
【００１６】
これによれば、押圧力解除手段３０が、空気圧作動部２６内に充填された高圧空気を強制的に排気できる。このため、患者にかけられた押圧力を急激に解除できる動作を得ることができる。従って、患者は自らの体の復元力によって肺を拡大して好適に吸気できる。そして、急激に押圧力を解除した後、所要の時間が経過するまでは実質的に胸部１４に押圧力がかからないように制御すればよい。または、患者が呼気を開始するまでは胸部１４へ実質的な押圧力が作用しないように制御すればよい。これによって、肺が自然に拡大し、患者１２は好適に吸気することができる。
なお、条件によっては、減圧側開閉弁３４のみを制御するようにしてもよい。押圧手段２０では、所定の時間をかけて高圧空気が供給されるため、単位時間当たりの流量が小さい場合がある。例えば、高圧側チャンバ２３を設けないで、後述するエアシリンダ５０を用いる場合である。このとき、減圧側チャンバ３３を設け、排気の側の単位時間当たりの流量を十分に大きくできれば、減圧側開閉弁３４のみの制御で、空気圧作動部２６の動作を好適に制御できる。
【００１７】
なお、本実施の形態では、挿管式の人工呼吸器４２と、本発明にかかる胸部圧迫式の人工呼吸装置１０とを併用した状態を示している。本発明はこれに限らず、胸部圧迫式の人工呼吸装置１０を単独で用いるようにしても良いのは勿論である。
自発的な呼吸が所定以上できる患者にとっては、胸部圧迫式の人工呼吸装置１０のみでも十分な場合がある。挿管しないことで、患者は会話をできる。また、痰を出すということでも効果があると考えられる。現行の挿管式の人工呼吸器４２を使用する場合、所定の時間ごとに痰を出すための介護が必要となっている。
【００１８】
以上の構成を有する人工呼吸装置によれば、押圧手段２０が、陽圧空気を供給する陽圧源（高圧空気源２１）を備える空圧式押圧装置となっている。また、押圧力解除手段３０が、その空圧式押圧装置に供給された陽圧空気を強制的に吸引する陰圧源（減圧空気源３１）を備える構成になっている。
なお、本発明は空気式押圧装置を用いることに限定されるものではなく、他の機械的構成を採用することもできる。例えば、カム機構を用いることができる。カムの形状により、押圧時には徐々に力がかかり、その解除時には急激に押圧力を解除できる構造とすることができる。この場合は患者の自発呼吸とは無関係に設定された一定のサイクルで患者に呼吸をさせる「調節呼吸」の場合に適している。
【００１９】
次に図２に基づいて、本発明の人工呼吸装置にかかる空気圧作動部２６の一形態について説明する。
本実施の形態によれば、押圧手段２０（空圧式押圧装置）がエアシリンダ５０を構成要素とする空圧システムであることを特徴とする。
また、本実施の形態によれば、患者１２の胸部１４を複数に分けて押圧すべく、押圧手段２０と押圧力解除手段３０とからなる押圧ユニットが複数（本形態では３つ）配設された構成となっている。このような構成となっているため、患者胸部１４の下側の押圧ユニットから順次押圧動作を作動させれば、患者の呼気を好適に助けることができる。この動作は人間の横隔膜による排気動作と同等に作用し、患者の肺の中の空気を好適に排出できるためである。
【００２０】
６０はベッドであり、空気圧作動部２６が固定されている。
７０は枠体であり、トンネル状に形成されている。この枠体７０の下部（側板下部７２）でベッド６０に固定されている。押圧力の反力を受けるべく所定の剛性を備える。患者１２は枠体７０のトンネル内に胸部１４が入った状態で仰向けに寝かされる。
エアシリンダ５０は、本形態では、枠体７０の上部（天板部７３）から下方へ垂下された状態に固定されている。また、本形態では、３個のエアシリンダ５０が患者１２の身長方向に所定の間隔をおいて並列されている。
なお、エアシリンダ５０の固定方法はこれに限られないのは勿論である。実質的に胸部を押圧する方向に伸縮可能であればよく、例えば、枠体７０の天板部７３に上方向に突き出る状態で固定されていてもよい。また、胸部１４を好適に押圧できるのであれば、斜め方向に取り付けても良い。さらに、反力の受けやすさ、配管の取り合い又は保守のし易さなどを考慮して適宜設計すればよい。
【００２１】
５２はコイルスプリング（つる巻きバネ）であり、押圧力解除手段３０の一部として設けられている。本形態ではエアシリンダ５０に内蔵されている。ピストン５５の下面とシリンダ室の内底面５３との間に配されている。
このコイルスプリング５２によれば、押圧手段２０による押圧力が解除される際に復元して患者の胸部への押圧力を可及的速やかに解除することができる。急激に押圧力を解除できるため、患者の吸気を好適に補助できる。
また、このコイルスプリング５２の弾性によれば、押圧する力が徐々に作用することになる。所定の時間をかけて押圧力が作用することになる。このため、患者の胸部１４を適切に押圧できるという効果もある。
このような作用をするものとしては、コイルスプリング５２に限られず、他の弾性部材を用いることも可能である。また、内蔵するのではなく、自動車のカム機構のように外部に設けることも可能である。
【００２２】
５６はピストンロッドであり、上端がピストン５５に固定されており、下方へ突出可能に設けられている。このピストンロッド５６の下端に押圧板５７が固定されている。
押圧板５７は、所定の剛性を備え、胸部１４の幅に相当する大きさに形成されている。
５８はフィット部であり、押圧手段２０（押圧部２６）の患者胸部１４に接触する部分となっている。このフィット部５８は、患者胸部１４に沿ってフィットできるように弾性のある柔軟部材によって形成されている。患者個々の異なる体形にも対応できる。
また、フィット部５８の弾性によれば、押圧する力が徐々に作用することになる。所定の時間をかけて加圧できる。このため、患者の胸部１４を適切に押圧できるという効果がある。
なお、ピストンロッド５６と押圧板５７との連結形態は、球面軸受などを採用してもよい。これによれば、押圧板５７が適宜傾動できるようになり、フィット部５８が胸部１４に好適にフィットできる。
【００２３】
２５は高圧側管路であり、高圧側開閉弁２４などを介して高圧空気源２１に連通している。なお、２７は安全弁であり、所定の圧力以上の押圧力が作用しないように、高圧側管路２５に適宜設けることができる。
３５は減圧側管路であり、減圧側開閉弁３４などを介して減圧空気源３１に連通している。なお、エアシリンダ５０内の空気を急激に吸引して作動性を高めるためには減圧側チャンバ３３（図１参照）を介在させるとよい。
【００２４】
５９は開口ポートであり、エアシリンダ５０の空気孔となっている。押される側の空気室５１の空気を排気でき、ピストン５５の動作をスムースにできる。
また、この開口ポート５９を、高圧空気源２１へ開閉弁２８を介して接続してもよい。ピストンロッド５６を収縮する際に、開閉弁２８を開き、押される側の空気室５１に高圧空気を導入する。これによれば、押圧手段２０による押圧力を急激に解除するように作用する。
【００２５】
４０は制御部であり、各高圧側開閉弁２４及び各減圧側開閉弁３４の開閉などを制御する。この制御部４０は、外部信号発生部４５から信号を取り入れてその信号に基づいて制御をするようにしてもよい。
例えば、図１の形態でも説明したように、挿管式の人工呼吸器に設けられた呼気又は吸気のタイミングを検出する検出手段による情報（トリガー）を受けて押圧力解除手段３０などを作動させるべく、検出手段（検出部４４）と制御部４０とを接続してもよい。
【００２６】
以上の構成からなる人工呼吸装置の作用及び効果について、以下に説明する。
先ず、本発明にかかる人工呼吸装置の基本的作用について説明する。
人間の肺は、呼気と吸気とが交互になされることで、酸素を好適に摂取できる構造となっている。呼気（排気）が十分になされないと、吸気ができないのは当然のことである。
また、人間の体は、その生体構造上、弾性的な復元力を有している。つまり、体が圧迫された場合、その圧迫を解除すると元の状態に復元する機能がある。
本発明の人工呼吸装置によれば、胸部を圧迫することで肺が縮小して空気が排出され、その圧迫が急激に解除されることで肺が拡大（復元）して空気が吸入されるという生体的機能を利用し、呼吸の補助を好適にすることができる。
呼吸をする能力が弱っている患者は、例えば、２００〜３００ｍｌ程度しか吸えなくなっている場合がある。その患者に対して、胸部を圧迫する方法によれば、簡単に５００〜６００ｍｌ程度の空気を吸うことが可能となる。
【００２７】
次に、本発明にかかる人工呼吸装置の動作について図２に基づいて説明する。
押圧手段２０が作動する前の段階にあって、フィット部５８は、仰向けに寝た患者の胸部１４に接触するかしないかの状態とする。実質的に胸部１４を圧迫していない状態であればよい。
そして、押圧手段２０を作動させて、胸部１４を下部から上部にかけて順次押圧する。図２に示す状態は、胸部１４の下部が押圧手段２０によって最も押圧された状態であり、中間部が次の押圧手段２０によって中途まで押圧されている。また、上部では押圧手段２０による押圧が未だ始まっていない状態が示されている。
【００２８】
以上のように胸部１４の下から上へ複数に分けて圧力をかける動作は、制御部４０によって好適に制御できる。高圧空気をエアシリンダ５０に供給するタイミングと、その高圧空気をエアシリンダ５０から排出するタイミングを、各押圧手段２０ごとに時間差をつけて制御すればよい。この制御は、前述したように、開閉弁２４、３４の開閉によって好適に行うことができる。
なお、胸部１４を複数に分けて圧迫するには、複数のエアバックを用いてもよい。この場合も上記のように時間差を設けるなど、好適に制御が可能である。
【００２９】
そして、高圧空気を複数のエアシリンダ５０から急激に排出することで、患者の胸部１４にかけられた押圧力を急激に解除できる。これによれば、患者は自らの体の復元力によって肺を拡大して好適に吸気できる。なお、急激に押圧力を解除した後、所要の時間が経過するまでは胸部１４へ実質的に押圧力がかからないように制御すればよい。または、患者が呼気を開始するまでは胸部１４へ実質的な押圧力が作用しないように制御部４０で制御すればよい。これによって、肺が自然に拡大し、患者は好適に吸気することができる。
本形態例のように空気圧方式であると、安全弁２７を用いるなどして安全性を確保し易い。また、空気圧方式であると、例えば急に呼気が始まった場合でも開閉弁２４、３４の制御で瞬時に対応できる。
【００３０】
また、複数のエアシリンダ５０又はエアバックによる胸部１４に対する押圧位置、押圧角度、押圧速度及び押圧するタイミング等は選択的に設定できる。例えば、胸部１４を効果的に押圧して肺を縮小させるためには、少なくとも二つのエアシリンダ５０で、胸の下部左右から胸の中央へ向けて斜めに、且つ全体的には押圧部２６が胸を圧迫するようにしても良い。これによれば、胸部１４が両側から挟むように押圧されるため、肺の中の空気を好適に排出することができる。
【００３１】
次に本発明にかかる他の形態例について説明する。
以上に説明した形態例によれば、胸部を正面側から押圧手段によって押圧する場合について説明したが、本発明はこれに限定されるものではない。すなわち、胸部を正面側と背面側の両方から押圧してもよい。さらには、胸部を背面側から押圧し、正面側ではその押圧力を受けるように設定することも可能である。好ましくは両面から押圧すれば、胸部を適切且つ効率よく圧迫できる。なお、胸部の正面側とは患者が仰向けに寝た場合の上面側であり、患者が仰向けに寝た場合の下面側が胸部の背面側である。
このような場合にも、カム機構を利用した押圧手段を用いることが可能である。例えば、マッサージチェアに用いられている偏心回転部材からなる機構を採用できる。
【００３２】
図３に、カム機構の押圧手段２０ａにかかる基本原理の概念図を示す。この押圧手段２０ａの押圧部は、カム８０と押圧板５７ａ及びフィット部５８ａから構成されている。カム８０を矢印の方向に回転させれば、所要の時間をかけて徐々に押圧し、その後その押圧力を急激に解除する押圧サイクルを生じさせることができる。つまり、このカム機構の押圧手段２０ａは押圧力解除手段としても機能している。
【００３３】
また、このカム機構の押圧手段２０ａを複数段配設することで、胸部をその下部から上部へ向かってさらには左右から中心に向かって絞り上げるように段階的に圧迫する機構を構成できる。このとき、各カム８０の形状を適宜設定することで、複数のカム機構による押圧について時間差や方向性を好適に設けることが可能である。これによれば、肺を押圧力によって好適に縮小させるべく、胸部を好適に圧迫できる。
【００３４】
また、以上に説明した押圧手段及び押圧力解除手段に加えて、患者の胸部に当接する部材（例えば、押圧板５７ａ及びフィット部５８ａ）を振動させる振動機構を設けてもよい。これによれば、胸部を振動させることで、患者の痰が切れ易くなるという効果がある。この振動機構としては、例えば、偏心回転部材を回転させることで振動を発生させるバイブレータ装置等の周知の技術を用いればよい。
【００３５】
以上、本発明につき好適な実施例を挙げて種々説明してきたが、本発明はこの実施例に限定されるものではなく、発明の精神を逸脱しない範囲内で多くの改変を施し得るのは勿論のことである。
【図面の簡単な説明】
【００３６】
【図１】本発明の一形態を模式的に示す人工呼吸装置のブロック図である。
【図２】本発明の一形態を模式的に示す人工呼吸装置の断面図である。
【図３】カム機構の押圧手段にかかる基本原理を示す概念図である。
【符号の説明】
【００３７】
１０  人口呼吸装置
１２  患者
１４  胸部
２０  押圧手段
２１  高圧空気源
２２  高圧側レギュレータ
２４  高圧側開閉弁
２５  高圧側管路
２６  押圧部
２８  開閉弁
３０  押圧力解除手段
３１  減圧空気源
３３  減圧側チャンバ
３４  減圧側開閉弁
３５  減圧側管路
４０  制御部
４２  挿管式の人工呼吸器
４４  検出部
５０  エアシリンダ
５２  コイルスプリング
５５  ピストン
５６  ピストンロッド
５７  押圧板
５８  フィット部
６０  ベッド
７０  枠体
８０  カム
【図１】
2005329234.tif 000003
【図２】
2005329234.tif 000004
【図３】
2005329234.tif 000005